(57)【要約】【課題】ＵＳＢインタフェースを介して接続された相手装置の給電能力に応じて適切な動作モードにより動作を行う。【解決手段】ＵＳＢインタフェース1と、各部２−１〜２−ｎを制御するプロセッサ部１０と、少なくとも前記プロセッサ部１０を高消費電力モードまたは低消費電力モードにより動作させる消費電力モード切換手段３１と、前記ＵＳＢインタフェース１を介して接続された相手装置がＵＳＢホスト機能を有するホストであるか、ＵＳＢホスト機能を有しないデバイスであるかを判定する判定手段１１と、判定手段１１による判定結果に基づき前記消費電力モード切換手段３１を制御する電力制御手段１２とを具備する。【選択図】図１
2015035012.tif 000002
【特許請求の範囲】
【請求項１】
ＵＳＢインタフェースと、
各部を制御するプロセッサ部と、
少なくとも前記プロセッサ部を高消費電力モードまたは低消費電力モードにより動作させる消費電力モード切換手段と、
前記ＵＳＢインタフェースを介して接続された相手装置がＵＳＢホスト機能を有するホストであるか、ＵＳＢホスト機能を有しないデバイスであるかを判定する判定手段と、
判定手段による判定結果に基づき前記消費電力モード切換手段を制御する電力制御手段と
を具備することを特徴とする電子装置。
【請求項２】
判定手段は、相手装置が通信機能を有するか否かによりホストであるかデバイスであるかを判定することを特徴とする請求項１に記載の電子装置。
【請求項３】
消費電力モード切換手段は、プロセッサ部の動作クロック周波数を変更して高消費電力モードと低消費電力モードを実現させることを特徴とする請求項１または２に記載の電子装置。
【請求項４】
電力制御手段は、判定手段によりホストであると判定された場合に低消費電力モードを実行させ、判定手段によりデバイスであると判定された場合に、高消費電力モードを実行させることを特徴とする請求項１に記載の電子装置。
【請求項５】
電子装置は、ＨＤＭＩドングルであることを特徴とする請求項１乃至４のいずれか１項に記載の電子装置。
【発明の詳細な説明】
【技術分野】
【０００１】
この発明は、ＵＳＢインタフェースを介して電力供給を受ける電子装置に関するものである。
【背景技術】
【０００２】
ＵＳＢインタフェースを介して電力供給を受ける電子装置は、ＵＳＢ端子を有する例えばパーソナルコンピュータやテレビジョンなどに接続することができる。また、この電子装置は、ＵＳＢ端子を有するＡＣアダプタに接続することもできる。
【０００３】
ＵＳＢの規格においては、給電能力が０．５Ａとされており、ＵＳＢ端子からの給電によって動作するデバイスは、この０．５Ａという規格に制約されている。しかしながら、ＵＳＢ端子を有するＡＣアダプタにおいては、上記０．５Ａという規格以上の電流を流すことが可能であるように余裕を持った構成とされている。一方、パーソナルコンピュータやテレビジョンなどのホストにあっては、規格にある通り給電能力が０．５Ａであるように厳格に構成されている。
【０００４】
従って、給電を行う側の装置に応じた電力消費により動作できれば無駄が無く、有効に電力を使用することができる。しかしながら、このような観点から設計されている電子装置は存在していない。
【０００５】
上記の例に近い構成を採用した電子機器として、外部電源に接続されたときには通常モードで動作し、ＵＳＢケーブルなどにより給電を受けているときには省電力モードで動作する画像読取装置が知られている（特許文献１参照）。
【先行技術文献】
【特許文献】
【０００６】
【特許文献１】特開２００１−３５８９０８号公報
【発明の概要】
【発明が解決しようとする課題】
【０００７】
本発明は電子装置における、このような現状に鑑みなされたもので、その目的は、ＵＳＢインタフェースを介して接続された相手装置の給電能力に応じて適切な動作モードにより動作を行うことのできる電子装置を提供することである。
【課題を解決するための手段】
【０００８】
本発明に係る電子装置は、ＵＳＢインタフェースと、各部を制御するプロセッサ部と、少なくとも前記プロセッサ部を高消費電力モードまたは低消費電力モードにより動作させる消費電力モード切換手段と、前記ＵＳＢインタフェースを介して接続された相手装置がＵＳＢホスト機能を有するホストであるか、ＵＳＢホスト機能を有しないデバイスであるかを判定する判定手段と、判定手段による判定結果に基づき前記消費電力モード切換手段を制御する電力制御手段とを具備することを特徴とする。
【０００９】
本発明に係る電子装置では、判定手段は、相手装置が通信機能を有するか否かによりホストであるかデバイスであるかを判定することを特徴とする。
【００１０】
本発明に係る電子装置では、消費電力モード切換手段は、プロセッサ部の動作クロック周波数を変更して高消費電力モードと低消費電力モードを実現させることを特徴とする。
【００１１】
本発明に係る電子装置では、電力制御手段は、判定手段によりホストであると判定された場合に低消費電力モードを実行させ、判定手段によりデバイスであると判定された場合に、高消費電力モードを実行させることを特徴とする
【００１２】
本発明に係る電子装置では、電子装置は、ＨＤＭＩドングルであることを特徴とする。
【発明の効果】
【００１３】
本発明によれば、ＵＳＢインタフェースを介して接続された相手装置がＵＳＢホスト機能を有するホストであるか、ＵＳＢホスト機能を有しないデバイスであるかを判定し、判定結果に基づき少なくともプロセッサ部を高消費電力モードまたは低消費電力モードにより動作させるので、ＵＳＢインタフェースを介して接続された相手装置の給電能力に応じて適切な動作モードにより動作を行うことが可能となる。
【図面の簡単な説明】
【００１４】
【図１】本発明に係る電子装置の実施形態の機能構成を示すブロック図。
【図２】本発明に係る電子装置の実施形態としてのＨＤＭＩドングルの構成を示すブロック図。
【図３】本発明に係る電子装置の実施形態の動作を説明するためのフローチャート。
【発明を実施するための形態】
【００１５】
以下添付図面を参照して本発明に係る電子装置の実施形態を説明する。各図において同一構成要素には同一の符号を付して重複する説明を省略する。図１には、本発明に係る電子装置の実施形態の機能ブロック図を示す。この電子装置には、ＵＳＢインタフェース１と、各部２−１〜２−ｎを制御するプロセッサ部１０とが備えられている。
【００１６】
プロセッサ部１０には、判定手段１１が備えられている。判定手段１１は、上記ＵＳＢインタフェース１を介して接続された相手装置がＵＳＢホスト機能を有するホストであるか、ＵＳＢホスト機能を有しないデバイスであるかを判定するものである。例えば、判定手段１１は、相手装置が通信機能を有するか否かによりホストであるかデバイスであるかを判定する。プロセッサ部１０の外部には、消費電力モード切換手段３１が接続されている。
【００１７】
消費電力モード切換手段３１は、少なくともプロセッサ部１０を高消費電力モードまたは低消費電力モードにより動作させるもので、この実施形態ではクロック発生部３１１である。即ち、クロック発生部３１１は、プロセッサ部１０の動作クロック周波数を変更するものであり、高消費電力モードのときには動作クロックの周波数を高くし、低消費電力モードのときには動作クロックの周波数を低くし、消費電力モード切換を実現させる。消費電力モード切換手段としては、高消費電力モードのときに各部２−１〜２−ｎへ与える電力を上昇させ、低消費電力モードのときには各部２−１〜２−ｎへ与える電力を低減させる電源部であっても良い。
【００１８】
プロセッサ部１０には、判定手段１１による判定結果に基づき上記消費電力モード切換手段３１を制御する電力制御手段１２が備えられている。電力制御手段１２は、判定結果がホストであるとの判定結果である場合には低消費電力モードとなるように制御を行い、判定結果がデバイスであるとの判定結果である場合には高消費電力モードとなるように制御を行う。
【００１９】
ＵＳＢインタフェース１は、信号線のシリアルデータを直／並列変換してバス３へ送り、また、バス３の並列データを並／直列変換して外部へ送出する。ＵＳＢインタフェース１は、電源ラインを電源部４に接続する。ＵＳＢインタフェース１にデバイス或いはホストなどの相手装置が接続された場合に、電源部４にはＵＳＢインタフェース１を介して電力が到来する。電源部４は、これを受けて必要な電圧として、各部２−１〜２−ｎやプロセッサ部１０へ供給する。
【００２０】
以上のように構成された電子装置は、図２に示すＨＤＭＩドングルを構成することができる。
【００２１】
ＨＤＭＩドングル４０は、ＨＤＭＩ端子を備えた図示しないテレビに接続されるもので、ＯＳとしてアンドロイド（登録商標）を搭載し、テレビをパーソナルコンピュータとして使用可能とするプログラムを備えるものである。
【００２２】
その構成は、図２に示されるようである。即ち、ＣＰＵ４１に対し、主メモリ４２、記憶部４３、通信インタフェース（ここでは、Bluetooth通信）４４、ＨＤＭＩポート４５、ＵＳＢポート４６、パワーマネージメントＩＣ４７を備える。電源はＵＳＢポート４６またはパワーマネージメントＩＣ４７を介して供給される。
【００２３】
ＣＰＵ４１は、図１のプロセッサ部１０及びクロック発生部３１１に対応し、ＵＳＢポート４６は図１のＵＳＢインタフェース１に対応し、その他は図１の各部２−１〜２−ｎに対応する。図１の電源部４に対応する構成は示されていない。
【００２４】
上記の電子装置が、ＵＳＢ端子を有する例えばパーソナルコンピュータやテレビジョンなどのホストに接続されるか、ＵＳＢ端子を有するＡＣアダプタであるデバイスに接続された場合の動作を、図３のフローチャートにより説明する。ＵＳＢインタフェース１に相手装置が接続されると、相手装置が通信機能を有するか否かによりホストであるかデバイスであるかを判定する（Ｓ１１）。通信機能を有する場合には、ホストであるからクロック発生部３１１を制御して動作クロックの周波数を低くし、低消費電力モードを実現させる（Ｓ１２）。一方、通信機能を有していない場合には、デバイスでありＡＣアダプタであるから、動作クロックの周波数を高くし高消費電力モードを実現させる（Ｓ１３）。これによって、十分な電力供給が受けられる場合に高速な動作が確保され、十分な電力供給が受けられない場合には、電力消費を抑えて安定した動作を確保することができる。
【００２５】
上記実施形態では、接続された装置がホストであるかデバイスであるかの判定を接続直後に行ったが、接続直後には低消費電力モードを実現し、所定時間（数十秒から数分）が経過した後に接続された装置がホストであるかデバイスであるかの判定を行うようにしても良い。このようにすると、ＵＳＢ接続が行われた直後に通信機能による通信を行わないホストが接続されたときにも、判定を誤ることなく適切な消費電力モードによって動作するように構成することができる。
【符号の説明】
【００２６】
１  ＵＳＢインタフェース
２  特許文献
２−１〜２−ｎ  各部
３  バス
４  電源部
１０  プロセッサ部
１１  判定手段
１２  電力制御手段
３１  消費電力モード切換手段
４０  ドングル
４２  主メモリ
４３  記憶部
４５  ＨＤＭＩポート
４６  ＵＳＢポート
３１１  クロック発生部
【図１】
2015035012.tif 000003
【図２】
2015035012.tif 000004
【図３】
2015035012.tif 000005